(57)【要約】      （修正有）【課題】原稿流し込み読取位置を調整して画像を精度良く読み取ることができる読取技術を提供する。【解決手段】ＡＤＦユニットによる原稿搬送の無い状態で、プラテンガイド７１の中央から下流側の所定範囲について所定間隔で背景画像を読取ユニットで採取し、主走査方向１ラインの輝度値平均から副走査方向の輝度値分布求めて白色シート７１ａとプラテンガイド７１の板金部とのエッジ部を検出し、これに基づいて読み取り位置を白色シート７１ａ側の所定位置に設定する。ただしこのとき、輝度値分布からＡＤＦユニットが正しく閉じられていないと判定した場合は異常警告表示や再調整を促す表示を行う。【選択図】図４
2016163231.tif 000002
【特許請求の範囲】
【請求項１】
読取位置上の原稿の画像を読み取り可能な読取手段と、
前記読取位置に対して開閉可能に設けられ、前記原稿を前記読取位置へ搬送する搬送手段と、
前記搬送手段による前記原稿の搬送がない状態の前記読取手段による読取結果に基づいて、前記読取位置を検出する検出手段と、
前記搬送手段による前記原稿の搬送がない状態の前記読取手段による読取画像に基づいて、前記検出手段による前記読取位置の検出を行えるか否かを判定する判定手段と、を備え、
前記検出手段は、前記判定手段によって前記検出手段による前記読取位置の検出が可能であると判定された場合、前記読取位置を検出する
ことを特徴とする画像読取装置。
【請求項２】
前記判定手段は、前記読取手段による読取画像を構成する画素の輝度値の内、第１閾値以下となる輝度値の画素の区間が第２閾値以上連続している場合、前記搬送手段が異常状態であると判定する
ことを特徴とする請求項１に記載の画像読取装置。
【請求項３】
前記判定手段の判定の結果、前記搬送手段の状態が異常状態であると判定する場合、前記読取部の読取位置を再度、調整するための調整画面を表示する表示手段を更に備える
ことを特徴とする請求項１又は２のいずれか１項に記載の画像読取装置。
【請求項４】
前記検出手段は、前記判定手段によって前記検出手段による前記読取位置の検出が可能であると判定された場合には、前記読取手段による読取結果のうち、最大となる輝度値と最小となる輝度値に基づいて算出される相対輝度値に基づいて読取位置を検出する
ことを特徴とする請求項１乃至３のいずれか１項に記載の画像読取装置。
【請求項５】
請求項１乃至４のいずれか１項に記載の画像読取装置と、
前記画像読取装置で読み取られた画像に基づいて、記録媒体上に画像を形成する画像形成手段と、
を備えることを特徴とする画像形成装置。
【請求項６】
読取位置上の原稿の画像を読み取り可能な読取部と、前記読取位置に対して開閉可能に設けられ、前記原稿を前記読取位置へ搬送する搬送部とを備える画像読取装置の制御方法であって、
前記搬送部による前記原稿の搬送がない状態の前記読取部による読取結果に基づいて、前記読取位置を検出する検出工程と、
前記搬送部による前記原稿の搬送がない状態の前記読取部による読取画像に基づいて、前記検出工程による前記読取位置の検出を行えるか否かを判定する判定工程と、を備え、
前記検出工程は、前記判定工程によって前記検出工程による前記読取位置の検出が可能であると判定された場合、前記読取位置を検出する
ことを特徴とする画像読取装置。
を備えることを特徴とする画像読取装置の制御方法。
【請求項７】
読取位置上の原稿の画像を読み取り可能な読取部と、前記読取位置に対して開閉可能に設けられ、前記原稿を前記読取位置へ搬送する搬送部とを備える画像読取装置の生後をコンピュータに機能させるためのプログラムであって、
前記コンピュータを、
前記搬送部による前記原稿の搬送がない状態の前記読取部による読取結果に基づいて、前記読取位置を検出する検出手段と、
前記搬送部による前記原稿の搬送がない状態の前記読取部による読取画像に基づいて、前記検出手段による前記読取位置の検出を行えるか否かを判定する判定手段として機能させ、
前記検出手段は、前記判定手段によって前記検出手段による前記読取位置の検出が可能であると判定された場合、前記読取位置を検出する
ことを特徴とするプログラム。
【発明の詳細な説明】
【技術分野】
【０００１】
本発明は、原稿の画像を読み取る画像読取技術に関するものである。
【背景技術】
【０００２】
従来から、読取光学系を固定し、ＡＤＦにより原稿を自動で装置内に搬送して原稿を読み取る画像読取装置が知られている。ＡＤＦで搬送された原稿を読み取る際には、読取部を所定の読取位置に固定させた状態で、ＡＤＦによりその読取位置に原稿を自動的に搬送させながら原稿を露光し、原稿からの反射光を読取光学系を介して読取部（イメージセンサ）に結像させることで、光電変換して読み取る。このとき、ＡＤＦにより搬送された原稿が、流し読みガラスに最も接近する位置を、ＡＤＦによる流し読み時の読取位置（流し読み位置）に設定する場合が多い。そして、上記の読取位置を決定するために、流し読み位置調整が行われる。
【０００３】
例えば、特許文献１にあるように、流し読みガラスの真上に原稿を搬送するために配置されたプラテンローラを読取部で光学的に読み取り、それによって得られる画像の輝度が最大となる位置を流し読み位置としている。
【先行技術文献】
【特許文献】
【０００４】
【特許文献１】特開２０００−１５１９２５号公報
【発明の概要】
【発明が解決しようとする課題】
【０００５】
特許文献１では、流し読み位置を決定する際には、流し読みガラスの真上にあるプラテンローラを読取部により輝度を読み取るが、プラテンローラの読取中にＡＤＦが開閉された場合、正しい流し読み位置を検知することができない。
【０００６】
また、近年の画像読取装置では、ＡＤＦで搬送する原稿を平らな面で押圧できるように、プラテンローラではなくプラテンガイドで構成されているものがある。プラテンガイドの場合は、原稿を押圧するための押圧板が平面なため、輝度が最大になる位置はなく、理想環境下では、検出される輝度は一定である。そのため、プラテンガイドの端部（エッジ部）を検出することで、流し読み位置の調整時にプラテンガイドと端部（エッジ部）を読み取る。そして、そのエッジ部から上流に所定の距離分だけ移動した場所を流し読み位置としている。
【０００７】
しかしながら、プラテンガイドでも流し読み位置の調整中にＡＤＦを開閉することで端部を誤検知して、流し読み位置が理想的な位置からずれる可能性がある。また、流し読み位置がずれると、原稿面の照度がばらつく、その結果、画像の読取濃度がばらついてしまうことがあり、読取品質が保証されない可能性がある。
【０００８】
本発明は上記の課題に鑑みてなされたものであり、画像を精度良く読み取ることができる読取技術を提供することを目的とする。
【課題を解決するための手段】
【０００９】
上記の目的を達成するための本発明による画像読取装置は以下の構成を備える。即ち、
読取位置上の原稿の画像を読み取り可能な読取手段と、
前記読取位置に対して開閉可能に設けられ、前記原稿を前記読取位置へ搬送する搬送手段と、
前記搬送手段による前記原稿の搬送がない状態の前記読取手段による読取結果に基づいて、前記読取位置を検出する検出手段と、
前記搬送手段による前記原稿の搬送がない状態の前記読取手段による読取画像に基づいて、前記検出手段による前記読取位置の検出を行えるか否かを判定する判定手段と、を備え、
前記検出手段は、前記判定手段によって前記検出手段による前記読取位置の検出が可能であると判定された場合、前記読取位置を検出する。
【発明の効果】
【００１０】
本発明によれば、画像を精度良く読み取ることができる。
【図面の簡単な説明】
【００１１】
【図１】画像読取装置の構成を示す側断面図である。
【図２】画像読取装置の読取制御回路の構成を示すブロック図である。
【図３】画像読取装置のプラテンガイド周辺の部分拡大部図である。
【図４】流し読み位置の調整により取得された画像（背景画像）の輝度値の分布を説明するための図である。
【図５】正常状態での流し読み位置調整時の輝度値の分布を示す図である。
【図６】異常状態での流し読み位置調整時の輝度値の分布を示す図である。
【図７】流し読み位置の調整に関する調整処理を示すフローチャートである。
【図８】流し読み位置を調整する場合の輝度値の分布を示す図である。
【図９】画像読取処理を示すフローチャートである。
【発明を実施するための形態】
【００１２】
以下、本発明の実施の形態について図面を用いて詳細に説明する。
【００１３】
本実施形態の画像読取装置は、例えば、スキャナ装置により実現でき、画像形成装置に搭載されるものであっても良いし、単体で使用されるものであっても良い。また、この画像読取装置を搭載する画像形成装置を実現することができ、この画像形成装置は、例えば、印刷装置、複写機、複合機（ＭＦＰ）、及びファクシミリ装置等の記録媒体上に画像を形成する装置がある。ここで、複合機とは、例えば、複写機能、印刷機能、スキャナ機能、及びファクシミリ機能を含む複数種類の機能の内、少なくとも２つ以上の複数の機能を有するものである。
【００１４】
図１は光学的に原稿の画像を読取る画像読取装置の構造を示す側断面図である。図１に示す画像読取装置は、スキャナユニット１とＡＤＦユニット７とから構成される。
【００１５】
原稿搬送部であるＡＤＦユニット７は、スキャナユニット１の筐体の端部で接続され、その端部を基点に所定方向に開閉可能な構造を有している。ＡＤＦユニット７を開くことで原稿７４を原稿台ガラス１４（プラテンガラスとも呼ばれる）上に載置し、読取ユニット１３が走査することで、その原稿７４の画像の読取を行うことができる。ＡＤＦユニット７には原稿トレイ７２（ＡＤＦ給紙トレイ）が設けられており、複数枚の原稿７４を原稿トレイ７２に載置した場合、それらの原稿７４を一枚ずつ給送することでスキャナユニット１が連続的に原稿７４の画像読取を行うことができる。スキャナユニット１は、ＣＣＤ、ＣＩＳ等で構成される読取ユニット１３（読取部）を使用して光を原稿７４に照射し、原稿７４による反射光を受光し、これを光電変換して画像信号を生成する。このようにして、原稿７４の画像を読み取ることにより画像データが生成される。
【００１６】
読取ユニット１３は、照明部１３１と光学レンズ１３３と撮像部１３４とにより構成され、原稿７４の載置側とは反対側に、読取ガラス（原稿台ガラス１４又は流し読みガラス１５）に密着するように配置される。
【００１７】
照明部１３１は、原稿台ガラス１４に対して傾斜する方向から原稿７４を照明する。光学レンズ１３３は、複数のセルフォックレンズ（登録商標）がアレイ状に配置するように構成されたレンズアレイである。光学レンズ１３３は、照明部１３１から照射され原稿面にて反射された光を、所定の結像位置へと導き、原稿７４からの反射光を収束して等倍で読み取る。撮像部１３４は、所定の方向に配列された複数の光電変換素子等の光学系から構成され、光学レンズ１３３により所定の結像位置へと導かれた光を撮像する。
【００１８】
このように、読取ユニット１３は、読取ガラス上の一方の表示に載置される原稿７４あるいは読取ガラス上の一方の表面を順次搬送される原稿７４を、読取ガラスの他方の表面の側から読み取る。
【００１９】
尚、本実施形態では、撮像部１３４はＣＭＯＳセンサであるとする。撮像部１３４にて撮像して得られた原稿７４の画像データは、例えば、画像記憶部として機能するＲＡＭ５１（図２）に格納される。このような構成の読取ユニット１３は、キャリッジ１９を介して駆動ベルト１６に装着され、スキャナモータ１８の駆動力が駆動ベルト１６を介して伝達されることにより、ガイドレール１７に沿って矢印Ｈ方向（副走査方向（原稿７４の搬送方向））に移動する。
【００２０】
スキャナユニット１では、読取ユニット１３をスキャナモータ１８の駆動力により副走査方向Ｈに移動させながら、読取ユニット１３を図の紙面とは垂直（一般には交差）方向（主走査方向）に電気的に走査することにより原稿７４の画像を読み取る。一般的に、スキャナモータ１８にはステッピングモータやＤＣモータ等が用いられる。また、画像読取時には、原稿台ガラス１４の端部に設けられた白色基準板１２に光を照射して、その反射光からシェーディング補正を行うための基準信号を取得する。通常、複数の光電変換素子の配列方向が主走査方向に対応している。
【００２１】
ＡＤＦユニット７は、原稿トレイ７２上に表面を上に向けて載置された複数枚の原稿７４をピックアップローラ７３１により最上位の原稿７４から分離部７３２へと繰り出す。分離部７３２は、上方に分離ローラ、下方に分離パッドが配置されており、複数枚の原稿７４をその最上紙より一枚ずつ分離する。分離された原稿７４は、第１レジストローラ７３３によって分離搬送中に発生した斜行補正を行った後、第１レジストローラ７３３から第２レジストローラ７３４、第１搬送ローラ７３５により搬送される。更に、分離された原稿７４は、流し読み位置を通過して、第２搬送ローラ７３６から第３搬送ローラ７３７及び排紙ローラ７３８により、排紙トレイ７３上に原稿表面を下に向けて順番に排出される。また、第１搬送ローラ７３５と第２搬送ローラ７３６との間には、白色シート７１ａを備えるプラテンガイド７１が設けられていて、原稿７４を平らな面で押圧する。
【００２２】
尚、図から明らかなように、白色シート７１ａを備えるプラテンガイド７１と白色基準板１２はそれぞれ、読取ガラスを介して、読取ユニット１３と対向する原稿７４の搬送経路上の第１の位置及び第２の位置に設けられている。そして、第１の位置にあるプラテンガイド７１は、第２の位置にある白色基準板１２よりも、原稿７４の搬送経路の上流側に配置されている。また、この白色基準板１２の中央直下の位置と流し読みガラス１５との間に、読取ユニット１３のホームポジション（待機位置：ＨＰＳ）が設定されているが、これに限定されない。用途や目的に応じては、この読取ユニット１３のホームポジション（待機位置：ＨＰＳ）は、白色シート７１ａの直下に設けられていても良い。
【００２３】
スキャナユニット１側では、流し読みガラス１５の所定の位置（読取位置）を読み取るべく読取ユニット１３を移動し、ＡＤＦユニット７側によって一定速度で移動させられる原稿上の画像を読み取る。尚、スキャナユニット１が読み取っている流し読みガラス１５上の所定の位置を「流し読み位置」と呼ぶことにする。
【００２４】
図２は画像読取装置の制御構成を示すブロック図である。
【００２５】
読取ユニット１３は、ＬＥＤ駆動回路（ドライバ）３が主走査方向１ライン毎に照明部１３１の光量調整で行ってＬＥＤの点灯時間を制御し、原稿７４の画像を読み取る。増幅器（ＡＭＰ）２１は、読取ユニット１３から出力された電気信号を増幅し、Ａ／Ｄ変換回路２２はその増幅された電気信号をＡ／Ｄ変換して、例えば、各画素各色成分を１６ビットの輝度値として表現するデジタル画像信号を出力する。Ａ／Ｄ変換回路２２を含め、Ａ／Ｄ変換のために必要な構成をまとめて変換部という。
【００２６】
尚、照明部１３１は、ＲＧＢ各色のＬＥＤ１３１１〜１３１３から構成され、ＣＰＵ５の制御の下、タイミング発生回路４で生成されたタイミング信号に基づいてＬＥＤ駆動回路３が動作することで、ＬＥＤ１３１１〜１３１３の点灯が制御される。
【００２７】
画像処理部６は、Ａ／Ｄ変換回路２２によって変換されたデジタル画像信号の画像処理を実行する。この画像処理には、シェーディング補正処理をはじめ、画像読取に必要な各種処理が含まれる。メモリ６１は、画像処理により得られた画像データを記憶し、インクジェット方式や電子写真方式を採用したプリンタ、さらには外部装置とのインタフェースに接続し画像転送を行う。調整部６２は、画像処理によって得られた画像データに基づき、読取位置である流し読み位置の調整を行う。
【００２８】
モータ駆動回路９１は、ＣＰＵ５の設定に応じてスキャナモータ１８を回転させることができ、読取ユニット１３を一定速度で移動させることができる。また、モータ駆動回路９２は、ＣＰＵ５の設定に応じてＡＤＦモータ７５を回転させ、ＡＤＦユニット７に載置された原稿７４を搬送する。ＡＤＦ原稿検知センサ７６は、原稿トレイ７２に流し読み方式による読取が可能な状態に原稿７４が載置されていることを検知することができる。
【００２９】
尚、ＣＰＵ５は、ＲＯＭ５２に記憶されるプログラムを読み出し、ＲＡＭ５１上で実行することにより、画像読取装置の各種構成要素の動作を制御することができる。また、画像読取装置への各種操作や設定は、操作部７７を介して行われる。操作部７７は、例えば、表示部（液晶ディスプレイ、ＬＥＤ等）、指示部（ボタン、タッチパネル）等から構成され、読取指示や部数設定、読取原稿サイズの指定、変倍等の各種操作を行うことができる。
【００３０】
図３は画像読取装置のプラテンガイド７１周辺の部分拡大部図である。
【００３１】
プラテンガイド７１の前方には、流し読み位置の調整をする際に、読取ユニット１３の照明部１３１の光量調整（シェーディング）のための白色基準板１２（シェーディング板とも呼ばれる）が配置されている。また、原稿７４を読み取る流し読みガラス１５の前後には、ＡＤＦユニット７により搬送される原稿７４の表面の異物（ゴミ）をかきとるスジ対策シート７１ｂと、原稿７４を排紙トレイ７３に搬送するために流し読みガラス１５から搬送路に原稿７４をガイドするジャンプ台７１ｃとがそれぞれ配設されている。
【００３２】
流し読みガラス１５の上方には、搬送中の原稿７４がばたつかないように流し読みガラス１５に押し当て、流し読みガラス１５の上部に設置されたプラテンガイド７１が配設されている。また、プラテンガイド７１には、流し読みによって読み取られた原稿７４の背景が白くなるように、その表面に白色部材である白色シート７１ａが設置されている。
【００３３】
本実施形態では、白色シート７１ａとプラテンガイド７１の所定部分（背景体部分）に対応する画像を含む読取画像に基づいて、適切な流し読み位置を調整する構成について説明する。
【００３４】
図４は流し読み位置の調整のために取得された画像（背景画像）の輝度値分布である。流し読み位置の調整は、例えば、流し読み時の主走査中央の所定幅（例えば、２ｍｍ幅）をプラテンガイド７１の中央から流し読みの下流側の所定の範囲（例えば、４ｍｍ範囲）を所定間隔（例えば、０．１ｍｍ）読み取ることで背景画像の輝度値を取得する。
【００３５】
このとき、流し読み位置の調整時は原稿７４を搬送させずに、ＡＤＦユニット７を閉じたままで行うため、流し読みガラス１５を介して、白色シート７１ａとプラテンガイド７１の板金部分の画像を含む画像が読み取られることになる。そして、取得した主走査一ライン分の画像の輝度値を平均化し、図４に示すような輝度値分布を取得する。このとき得られた輝度値分布から、輝度値のＭＡＸ値とＭＩＮ値を検出し、副走査の所定間隔（例えば、０．１ｍｍ間隔）毎に輝度値を割合に変換（＝輝度値／（ＭＡＸ値−ＭＩＮ値）×１００）する。そして、割合変換後の８０％を下回った地点を、白色シート７１ａとプラテンガイド７１の板金部のエッジ（端部）と判断し、そのエッジから所定の距離の地点を流し読み位置として、その位置情報をＲＡＭ５１に保存する。
【００３６】
ここで、図５は、正常状態での流し読み位置調整時の読取画像（白色シート７１ａとプラテンガイド７１の所定部分（背景体部分）に対応する画像を含む読取画像）の輝度値分布である。ここで、正常状態とは、ＡＤＦユニット７が、流し読み位置の調整中にＡＤＦユニット７が閉じられている状態である。
【００３７】
これに対し、図６（ａ）は、流し読み位置の調整中にＡＤＦユニット７が開かれた場合等の異常状態での読取画像の輝度値分布である。図６（ｂ）は、ＡＤＦユニット７が開放されたまま流し読み位置が調整される場合等の異常状態での読取画像の輝度値分布である。
【００３８】
本実施形態では、図６（ａ）及び図６（ｂ）のような異常状態を、閾値を用いて判定する。ＡＤＦユニット７が開放されると、読取ユニット１３の撮像部１３４に白色シート７１ａやプラテンガイド７１からの反射光が入射しなくなることで、取得される輝度値が低くなる。そのため、取得される輝度値が第１閾値（所定の輝度値）以下であり、第１閾値以下の輝度値の区間が一定区間（第２閾値）以上存在（連続）する場合、ＡＤＦユニット７が開放されたまま、正常に流し読み位置の調整が行われなかったとして、異常情報を生成する。このように、本実施形態では、背景体部分の読取画像に基づいて、ＡＤＦユニット７の状態（開放状態）を判定する。
【００３９】
図７は流し読み位置の調整に関する調整処理を示すフローチャートである。流し読み位置の調整は、主に、ＡＤＦユニット７の出荷時または、市場交換時等の初期設定に行われるが、流し読みによる原稿読取を指示する流し読みジョブ開始時に行われても良い。尚、図７に示すフローチャートは、ＣＰＵ５がＲＯＭ５２に記憶されるプログラムを読み出し、ＲＡＭ５１上で実行することにより実現される。
【００４０】
まず、操作部７７において、スタートボタンが押下されると、ＣＰＵ５は、読取ユニット１３をエッジサーチ開始位置（図３）に移動する（Ｓ１０１）。エッジサーチ開始位置は、ＨＰＳ（図３）から流し読みガラス１５側に所定距離、移動したところに設定されている。
【００４１】
ＣＰＵ５は、読取ユニット１３によって、エッジサーチ開始位置からＨＰＳに向かって背景部に光を照射し、反射光を光電変換して輝度値を取得する（Ｓ１０２）。その際、ＣＰＵ５は、読取ユニット１３を移動させながら、背景部を、所定間隔（例えば、０．１ｍｍ間隔）で副走査方向４．０ｍｍ分の背景体（プラテンガイド７１）の輝度値を取得する（Ｓ１０３）。ＣＰＵ５は、調整部６２によって、取得した輝度値の内、副走査方向０．１ｍｍ毎に、主走査方向の中央６４画素分の輝度値の平均値を１ライン毎に算出する（Ｓ１０４）。
【００４２】
ＣＰＵ５は、算出した輝度値の内、予め設定した閾値１（第１閾値）以下の輝度値があるか否かを判定する（Ｓ１０５）。ここで、閾値１は、ＡＤＦユニット７が開放された場合に取得する輝度値より高く設定する必要がある。これは、閾値１の値が低すぎると、ＡＤＦユニットが開放されたとことを判断できず、流し読み位置調整が正常に行われない場合があるからである。一方、閾値１の値が高過ぎると、ＡＤＦユニット７が開放されていなくても開放されたと誤判断する可能性がある。そこで、設置環境状態に応じて経験的に得られる適切な閾値１を設定すれば良い。尚、図６の例では、閾値１を、輝度５０に設定している場合を示している。
【００４３】
判定の結果から、閾値１以下の輝度値がある場合（Ｓ１０５でＹＥＳ）、ＣＰＵ５は、閾値１以下の輝度値が連続する画素をカウントし、閾値１以下となる輝度値の区間が、予め設定した閾値２（第２閾値）以上連続しているか否かを判定する（Ｓ１０６）。つまり、ＣＰＵ５は、閾値１以下となる輝度値が連続して何画素あるかをカウントする。また、例えば、閾値１以下の輝度値のある画素に対し、次の画素の輝度値が閾値１より大きい場合は、画素のカウントを０に戻す。尚、閾値２は、例えば、流し読み位置調整で取得する副走査方向の１／２の距離としている。図６の例では、閾値２を、２ｍｍに設定している。
【００４４】
輝度値が閾値１以下で、かつ閾値１以下の輝度値の画素が連続している区間が閾値２（区間）以上である場合（Ｓ１０６でＹＥＳ）、ＣＰＵ５は、流し読み位置調整中にＡＤＦユニット７が開放または一定時間以上開放されたと判断する。そこで、この場合は、ＣＰＵ５は、調整ＮＧを操作部７７に出力する（Ｓ１０７）。これにより、ユーザまたは作業者に流し読み位置の再度調整を促す。例えば、この場合には、操作部７７では、再度、流し読み位置の調整の実行を指示する操作ボタンを含む調整画面を表示する。
【００４５】
一方、輝度値が閾値１より大きい場合（Ｓ１０５でＮＯ）、あるいは、輝度値が閾値１以下であるが、閾値１以下の輝度値の画素が連続している区間が閾値２未満である場合（Ｓ１０６でＮＯ）、ＣＰＵ５は、調整部６２によって、Ｓ１０４で算出した輝度値の平均値から最大となる輝度値と最小となる輝度値を取得する。そして、その取得した輝度値から、副走査方向の４．０ｍｍ分の相対輝度値を（式１）によって算出する。
【００４６】
相対輝度値＝輝度値／（最大輝度値−最小輝度値）×１００    ・・・（式１）
算出した輝度値の分布は、例えば、図８のようになる。
【００４７】
そして、ＣＰＵ５は、相対輝度値が８０％となる点を、プラテンガイド７１の白色シート７１ａのエッジとして検出する（Ｓ１１０）。ＣＰＵ５は、検出したエッジから上流側の所定の位置（例えば、３．３２ｍｍの位置）を流し読み位置として決定し、その位置情報をＲＡＭ５１に記憶する（Ｓ１１１）。
【００４８】
このように、閾値１および閾値２を用いてＡＤＦユニット７の状態を検出することで、読取位置調整中にＡＤＦユニット７が開放された場合でも、そのときの輝度値の低下を白色シート７１ａのエッジと誤検出することを防止することができる。
【００４９】
次に、図９を用いて、ＡＤＦユニット７を用いる画像読取動作の一例について説明する。尚、図９に示すフローチャートは、ＣＰＵ５がＲＯＭ５２に記憶されるプログラムを読み出し、ＲＡＭ５１上で実行することにより実現される。
【００５０】
まず、操作部７７においてスタートボタン（コピーボタン）の押下を検知すると、ＣＰＵ５は、図７に示す流し読み位置の調整処理により流し読み位置を設定する（Ｓ２０１）。次に、ＣＰＵ５は、画像処理部６によって取得されたシェーディング補正値等の各種補正値を取得する（Ｓ２０２）。その後、ＣＰＵ５は、読取ユニット１３を流し読みガラス１５の設定した読取位置（流し読み位置）まで移動させる（Ｓ２０３）。
【００５１】
ＣＰＵ５は、読取ユニット１３により、流し読みガラス１５上に搬送された原稿の読取を実行し、読取によって得られる画像をステップＳ２０２で取得した各種補正値を用いて読取画像を補正する（Ｓ２０４）。読取終了後、ＣＰＵ５は、次の原稿の有無を判断する（Ｓ２０５）。次の原稿がある場合（Ｓ２０５でＹＥＳ）、Ｓ２０４に戻り、再度、次の原稿に対して、一連の動作を繰り返す。一方、次の原稿がない場合（Ｓ２０５でＮＯ）、処理を終了する。
【００５２】
以上説明したように、本実施形態によれば、流し読み位置の調整中にＡＤＦユニットが開閉され、流し読み位置を決定するためのプラテンガイドのエッジを誤検知してしまうことを防止することができる。また、この誤検知を防止することで、流し読み位置が適切な位置からずれることで生じる画像劣化を防止することができる。
【００５３】
尚、以上の実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【００５４】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。また、ＣＰＵも１つのＣＰＵで全ての処理を行うものに限らず、複数のＣＰＵが適宜連携をしながら処理を行うものとしてもよい。
【符号の説明】
【００５５】
１２：白色基準板、１３：読取ユニット、１３３：光学レンズ、１３４：撮像部、１５：流し読みガラス、２１：増幅器、２２：Ａ／Ｄ変換回路、３：ＬＥＤ駆動回路、４：タイミング発生回路、５：ＣＰＵ、６：画像処理部、６１：メモリ、６２：調整部、６２１：副走査平均処理部、６２２：ハイパスフィルタ、６２３：画像判定部、７：ＡＤＦユニット、７１：白色読取ローラ、７２：原稿トレイ、７３１：ピックアップローラ、７３２：分離部、７３３：第１レジストローラ、７３４：第２レジストローラ、７３５：第１搬送ローラ、７３６：第２搬送ローラ、７３７：第３搬送ローラ、７３８：排紙ローラ、７４：原稿、７５：ＡＤＦモータ、７６：ＡＤＦ原稿検知センサ、７７：操作部
【図１】
2016163231.tif 000003
【図２】
2016163231.tif 000004
【図３】
2016163231.tif 000005
【図５】
2016163231.tif 000006
【図６】
2016163231.tif 000007
【図７】
2016163231.tif 000008
【図８】
2016163231.tif 000009
【図９】
2016163231.tif 000010
【図４】
2016163231.tif 000011